(57)【特許請求の範囲】
【請求項１】
座部と、
前記座部の後側に設けられた背凭れ部と、
被施療者の上半身外側部を施療するための体側施療部を備えたマッサージ機であって、
前記体側施療部は、前記背凭れ部の両側部の前面から前方へ向かって突出する体側本体と、
前記体側本体を被施療者へ接近及び離間させる揺動機構を備えており、
前記体側本体は、エアセルを有しており、
前記背凭れ部と前記体側本体は、前記エアセルに繋がるエアホースが通る孔を夫々有しており、
前記背凭れ部の孔は背凭れ部の両側部の前面に設けられており、
前記体側本体の孔は、背凭れ部の孔と対応する位置に設けられていることを特徴とするマッサージ機。
【請求項２】
前記体側本体は、前記エアセルを配置した施療体と、前記施療体と一体となった横延部を有しており、
前記揺動機構は、背凭れ部と横延部の間に設けられていることを特徴とする請求項１に記載のマッサージ機。
【発明の詳細な説明】
【技術分野】
【０００１】
本発明はマッサージ機に関し、詳細には、被施療者の側部を施療する体側施療部を備えたマッサージ機に関する。
【背景技術】
【０００２】
マッサージ機として、座部と背凭れ部とを備え、これらにエアセルや揉み玉などの施療具が設けられている椅子型のものがある。このようなマッサージ機は、例えば、背凭れ部に設けた揉み玉を上下に移動させつつ揉み動作や叩き動作をさせることによって、使用者に対して施療を施すことができる。また、背凭れ部の両側に体側施療部を設けることで、被施療者の両側部を施療するものも知られている。
【発明の開示】
【課題を解決するための手段】
【０００５】
本発明は次の技術的手段を講じた。
【０００６】
すなわち、本発明のマッサージ機は、座部と、前記座部の後側に設けられた背凭れ部と、被施療者の上半身外側部を施療するための体側施療部を備えたマッサージ機であって、前記体側施療部は、前記背凭れ部の両側部の前面から前方へ向かって突出する体側本体と、前記体側本体を被施療者へ接近及び離間させる揺動機構を備えており、前記体側本体は、エアセルを有しており、前記背凭れ部と前記体側本体は、前記エアセルに繋がるエアホースが通る孔を夫々有しており、前記背凭れ部の孔は背凭れ部の両側部の前面に設けられており、前記体側本体の孔は、背凭れ部の孔と対応する位置に設けられていることを特徴とする。
【００１３】
前記体側本体は、前記エアセルを配置した施療体と、前記施療体と一体となった横延部を有しており、前記揺動機構は、背凭れ部と横延部の間に設けられていることを特徴とする。
【発明の効果】
【００１４】
本発明によれば、被施療者の体格に合わせて体側本体の位置変更が可能となる。
【発明を実施するための最良の形態】
【００１５】
以下、この発明の実施の形態について図面を参照しながら説明する。
【００１６】
図１は本発明の実施形態に係るマッサージ機１を示す斜視図である。このマッサージ機１は椅子型として構成されたものであり、座部２と、脚載置部３と、背凭れ部４と、座部２の左右両側部に設けられた肘掛け部５と、背凭れ部４の左右両側部に設けられた体側施療部６とを備えている。なお、本実施の形態で用いる方向の概念は、座部２に着座した被施療者から見た方向の概念と一致するものとし、その他の場合は適宜説明する。
【００１７】
脚載置部３は座部２の前部において水平方向の軸中心周りに回動可能に取り付けられており、昇降機構（図示せず）によって、図１の降下状態から前方へ突出した上昇状態へ動くことができる。背凭れ部４は、座部２の後部において回動可能に取り付けられており、図示しないリクライニング機構によって、図１の起立状態から後方へ倒れた状態へ動くことができる。
【００１８】
背凭れ部４の内部には、被施療者に機械的刺激を与えるための上下で一組とされた左右二つずつの揉み玉を備えた施療ユニット（図示せず）が設けられている。施療ユニットは、移動機構（図示せず）によって背凭れ部内を上下方向に移動可能とされている。さらに、この移動機構は、揉み玉を前後方向に移動させることができ、且つこの前後方向の移動においてその方向への押圧力の強弱を変化させることができる。
【００１９】
また、施療ユニットには、被施療者の肩位置を検出する肩位置センサ部（図示せず）が設けられている。この肩位置センサ部は、被施療者の上半身背面側に対して施療を施す際、使用者のツボ位置に対して揉み玉を動作させることができるようにツボ位置を自動的に検出することができる。そして、揉み玉を体のツボ位置で動かすことによりツボへの刺激を行うことができるようになっている。
【００２０】
体側施療部６は、被施療者の上半身外側部を左右外側から施療するものであり、着座する被施療者の上半身外側部に対応するように配置されている。また、肘掛け部５の上部には、被施療者の前腕を施療するための腕施療部１０が設けられている。体側施療部６の内側、腕施療部１０の内側、及び脚載置部３には、エアの吸排気によって膨張収縮するエアセル（体側施療部６のエアセル２７のみを図２に図示）が設けられている。エアセルは、座部１の下方に設けられ給排気装置１１と接続されており、被施療者に施療を施すことができる。
【００２１】
図２は、背凭れ部４から施療ユニットや外装カバー等を取り外した背凭れ本体１２に、体側施療部６から外装カバー等を取り外した体側本体１３が連結されている状態を示す参考発明の第１実施形態に係るマッサージ機の斜視図であり、図３（ａ）は、図２に示す構成の参考発明の第１実施形態に係るマッサージ機の側面図であり、図３（ｂ）は、図３（ａ）のＡ−Ａ線断面図であり、図４は、背凭れ本体１２から体側本体１３を切り離した参考発明の第１実施形態に係るマッサージ機の分解斜視図である。図２及び図３（ａ）に示すように、背凭れ本体１２は、正面視略矩形状に形成された本体部１４と、この本体部１４の背面側に設けられたバックカバー１５とを有している。図４に示すように、本体部１４は、一体的に成形されたものであり、左右の両縦フレーム１６と上下の両横フレーム１７とを有している。なお、各図において背凭れ本体１２の内側に収容される各部材の図示は省略するが、ここには揉み玉を有する施療ユニット等が収容される
【００２２】
各縦フレーム１６には、体側本体１３を取り付けるための取付部１８（図４）が形成されている。この取付部１８は、縦フレーム１６の外側部分を切り欠いて構成されたものであり、上下方向に延びる前受部２０と、この前受部２０の外側で上下方向に延びる横受部２１とで構成されている。前受部２０は、縦フレーム１６の前面１６ａから後方へ向かって窪むように形成されたものであり、前方へ面する前当接面２２を有している（図３（ｂ）及び図４参照）。横受部２１は、縦フレーム１６の側面１６ｂから内方へ向かって窪むように形成されたものであり、側方へ面する横当接面２３を有している（図３（ｂ）及び図４参照）。取付部１８の上下方向略中央部には、後述のエアホースが通る切欠部２４が形成されている。
【００２３】
体側本体１３は、着座する被施療者の側方に位置する施療体２５と、この施療体２５の後側に延設されて当該施療体２５を背凭れ本体１２に連結するための延設部２６とで構成されている。体側本体１３は、一体成形されたものであり、延設部２６は施療体２５に連続するように形成されている。
【００２４】
施療体２５は、前方へ向かうに従って窄む板状に形成されている。この施療体２５の内側には、略矩形状の凹部２５ａと、この凹部２５ａの後端から後方へ向かって延びる溝部２５ｂとが形成されている。図２に示すように、凹部２５ａには、被施療者の肩部や上腕部を施療するためのエアセル２７が配置されており、溝部２５ｂにはエアセル２７に繋がるエアホース３２や、エアセル２７を支持する支持部材２８等が配置されている。
【００２５】
図３（ｂ）に示すように、延設部２６は、施療体２５の内側で上下方向に延びる前延部３０、及びこの前延部３０よりも後側に形成された横延部３１とで構成されている。前延部３０は、上記前当接面２２と略同じ上下方向寸法で施療体２５の後端から内方（即ち、マッサージ機１の左右方向の中心側）へ向かって延設されている。この前延部３０の後面３０ａは、前受部２０の前当接面２２の略全面に渡って当接するようになっている。また、図４に示すように、前延部３０の上下方向中央部に、上記溝部２５ｂに対応する貫通孔３０ｂが形成されている。
【００２６】
横延部３１は、上記横当接面２３の上下方向寸法と略同じ上下方向寸法、及び当該横当接面２３の前後方向寸法と略同じ前後方向寸法を有している。当該横延部３１の内面３１ａは、横当接面２３の略全面に渡って当接するようになっている。
【００２７】
図２及び図３（ａ）、（ｂ）に示すように、背凭れ本体１２の両側部に体側本体１３が連結された状態では、前当接面２２に前延部３０の背面３０ａが当接され、且つ横当接面２３に横延部３１の内面３１ａが当接されている。そして、前延部３０と前受部２０とは、上下方向に振り分けられた４つのねじで互いに固定されている。この状態で、前延部３０の貫通孔３０ｂと、取付部１８の切欠部２４とが連通しており、エアセル２７に繋がるエアホース３２等が通されている。
【００２８】
座部２の下側には、各種の制御プログラムを実行する制御部３３が設けられている（図１参照）。この制御部３３は、ＣＰＵ，ＲＯＭ，ＲＡＭ，及び計時装置等から構成されており、これに接続された給排気装置１１等の動作を制御する。給排気装置１１は、エアセル２７や他のエアセルに接続された図示しない制御弁に接続されており、エアセル２７、その他のエアセルに対して各々独立的に吸気及び排気を行うことが可能となっている。また、制御部には、揉み玉に施療動作をさせる施療機構等が接続されており、当該各機構を制御するようになっている。
【００２９】
本実施形態に係るマッサージ機１には、背凭れ部４の両側部に体側施療部６が設けられているので、被施療者は、上半身左右両側から挟まれるように押圧されて腕部や肩部等に対して効果的な施療を受けることができる。本実施形態のマッサージ機１は、体側本体１３と背凭れ本体１２の連結部分の耐久性を向上させた点を特徴としている。以下、その点について説明する。
【００３０】
被施療者が着座した状態で体側施療部６のエアセル２７を膨張させると、その反力で施療体２５が外側へ向かって押される。このような反力が生じても、前延部３０は被施療者の背中で後方へ押さえられた状態となっているので、当該反力は前延部を介して被施療者が受けることになる。更に、縦フレーム１６の横当接面２３に横延部３１の内面３１ａが当接しているので、上記反力は横延部３１を介して当該横当接面２３でも受けることになる。
【００３１】
つまり、施療体部６のエアセル２７を膨張させた際の反力は、被施療者及び背凭れ本体１２で受けることになり、体側本体１３の延設部２６（連結部分）に無理な力をかけないようにすることができる。これにより、体側本体１３の延設部２６（連結部分）の耐久性を向上させることができる。
【００３２】
図５（ａ）、（ｂ）は、参考発明の第２実施形態に係るマッサージ機３５（特に、その背凭れ本体１２及び体側本体１３）を示しており、このうち図５（ａ）は、背凭れ本体１２に体側本体１３が連結されている状態を示す側面図であり、図５（ｂ）は、その平面図である。参考発明の第２実施形態のマッサージ機３５が参考発明の第１実施形態に係るマッサージ機１と異なる点は、背凭れ本体１２のバックカバー３６の側方まで、横延部３７が延ばされている点である。より具体的には、バックカバー３６は、参考発明の第１実施形態のものよりも左右方向寸法が小さく構成されており、横延部３７は、当該バックカバー３６の後面位置まで延ばされている。
【００３３】
そして、横延部３７の内面３７ａがバックカバー３６の側面３６ａに当接している。従って、被施療者が着座した状態でエアセル２７を膨張させ、その反力で施療体２５が外側へ向かって押されても、その反力を、バックカバー３６の側面３６ａ、即ち、背凭れ本体１３で受けることができる。従って、エアセル２７を膨張させた際の反力が生じても、この反力を第１実施形態よりも広い面で確実に受けることができる。また、体側本体１３を安定した状態で固定することができる。なお、横延部３７をバックカバー３６にねじで固定してもよい。この場合には、体側本体１３をより安定した状態で固定することができる。
【００３４】
図６（ａ）、（ｂ）は、参考発明の第３実施形態に係るマッサージ機４０（特に、その背凭れ本体１２及び体側本体１３）を示しており、このうち図６（ａ）は、背凭れ本体１２に体側本体１３が連結されている状態を示す側面図であり、図６（ｂ）は、その平面図である。同図に示すように、延設部２６に、横延部３７からバックカバー３６（背凭れ本体１２）の後側に回り込み且つ当該バックカバー３６の後面３６ｂに当接する後延部４１が設けられている。この場合、背凭れ本体１２が、前延部３０と後延部とで挟まれた状態となっており、体側本体１３を前延部３０、横延部３７、後延部４１の３点で非常に安定した状態で背凭れ本体１２に固定することができる。なお、後延部４１をバックカバー３６にねじで固定してもよく、この場合、体側本体１３を更に安定した状態で固定することができる。
【００３５】
図７（ａ）、（ｂ）は、参考発明の第４実施形態に係るマッサージ機４３（特に、その背凭れ本体１２及び体側本体１３）を示しており、このうち図７（ａ）は、背凭れ本体１２に体側本体１３が連結されている状態を示す側面図であり、図７（ｂ）は、その平面図である。参考発明の第４実施形態が他の実施形態と異なる点は、施療体４４が、背凭れ本体１２の前面側へ倒れ込み可能となるように構成されている点である。前延部４５と、一体となった施療体４４及び横延部４６とは別部材とされており、施療体４４及び横延部４６が、背凭れ本体１２に固定された前延部４５に、当該前延部４５の外端部７０を回動中心として図示しないヒンジ部により回動自在に取り付けられている。なお、上記ヒンジ部は、体側本体１３が閉じた状態（図７（ｂ）の左側の体側本体１３の状態）と、開いた状態（図７（ｂ）の右側の体側本体１３の状態）との間でのみ、回動可能となっており、図７（ｂ）右側の状態以上に開かないように構成されている。
【００３６】
そして、施療体４４の回動方向は、図７の矢印で示すように背凭れ本体１２の前面側へ倒れ込む方向となっている。これにより、マッサージ機４３を使用しないときは、施療体４４を背凭れ本体１２の前面側へ倒れ込ませることで、コンパクトにしておくことができる。
【００３７】
また、横延部４６は、縦フレーム１６にねじ４９で固定されており、施療体４４を回動させる際には、ねじ４９を外せばよい。従って、マッサージ機４３を使用するときは、横延部４６を縦フレーム１６にねじで固定しておき、マッサージ機４３を使用しないときは、ねじ４９を外して横延部４６を縦フレーム１６から切り離し、施療体４４を倒しておけばよい。なお、図示しないが、背凭れ本体１２及び体側本体１３を覆うカバー部材に、ねじを螺合させるための孔部が設けられており、カバー部材で覆われた状態でも、横延部４６の固定、及び切り離しが可能となっている。
【００３８】
このような構成とすることにより、施療体４４を折り畳むことができ、梱包状態、不使用状態、収納状態（例えば、背凭れ本体１２を座部２側に折り畳む状態）等のときに、マッサージ機４３をコンパクトにできる。また、固定手段はねじだけに限られず、ピンやロック機構等でもよく、固定と解除を容易に行えるものであればなお好適である。
【００３９】
図８は、本発明の実施形態に係るマッサージ機４７を示している。本実施形態のマッサージ機４７が図５に示す参考発明の第２実施形態のマッサージ機３５と異なる主な点は、背凭れ本体１２に揺動機構４８が設けられている点である。前延部３０と、一体となった施療体２５及び横延部３７とが別部材となって構成されており、一体となっている施療体２５及び横延部３７が、当該前延部３０の外端部８０を回動中心として図示しないヒンジ部によって前延部３０に対して揺動可能に取り付けられている。
【００４０】
また、横延部３７とバックカバー１５との間には、制御部３３で制御される後エアセル５５が設けられており、この後エアセル５５を膨張させることで施療体２５が被施療者側へ揺動し、当該後エアセル５５を収縮させることで施療体２５が元の位置へ戻る。被施療者の肩幅に合わせて後エアセル５５の膨張度合いを変えることで、被施療者の体格に合わせて体側本体１３の位置変更が可能となる。これにより、エアセル２７による施療強度を、常に被施療者の体格に適応させたものとすることができる。更に、施療体２５の動作と、施療体２５の内側に設けられたエアセル２７の膨張動作とを連携させることにより、被施療者により複雑な施療を行うことができる。
【００４１】
なお、上記で開示された実施形態はすべて例示であって制限的なものではない。延設部が、前延部、及び背凭れ本体の横側と当接する横延部を有していればよく、背凭れ本体や、施療本体の構成を適宜変更することができる。例えば、図９に示す参考発明の第１実施形態に係るマッサージ機の変形例が挙げられる。背凭れ本体１２の縦フレーム５０の前受部５１に第一貫通孔５１ａが形成されており、それと共に体側本体５２の前延部５３に当該第一貫通孔５１ａに連通する第二貫通孔５３ａが形成されている。
【００４２】
これら、第一、第二貫通孔５１ａ、５３ａには、エアセル２７に繋がる図示しないエアホース等が通されている。また、前延部５３には、ねじ止めするための長溝５３ｂが形成されており、エアセル２を配置するための凹部５２ａの上下方向寸法が広くなっている。また、図４に示す第１実施形態における前当接面２２は、背凭れ本体１２の本体部１４の中央開口にまで達していないのに対して、図９の前当接面５１ｂは、中央部開口にまで達している。つまり、前受部５１の前当接面５１ｂの幅が大きくなっており、当該前当接面５１ｂの略全面が前延部５３と当接され、前方からの力を広い面で受けられるようになっている。
【００４３】
本発明のマッサージ機に設けられる制御部を、左右の体側施療部のエアセル２７を同時に膨張させるように構成してもよいし、それぞれ独立して制御することで異なるタイミングで膨張させるように構成してもよい。また、図示しないが、背凭れ部や体側施療部以外の構成として、座部、脚載置部等の構成を変更することや、背凭れ部の上部に被施療者の頭部を凭れかける枕部を設けることもできる。
【産業上の利用可能性】
【００４４】
本発明は、例えば椅子型のマッサージ機に適用することができる。
【図面の簡単な説明】
【００４５】
【図１】本発明の実施形態に係るマッサージ機の全体斜視図である。
【図２】参考発明の第１実施形態に係るマッサージ機の背凭れ本体に体側本体が連結された状態の斜視図である。
【図３】（ａ）は、図２の側面図であり、（ｂ）は、（ａ）のＡ−Ａ線断面図である。
【図４】参考発明の第１実施形態に係るマッサージ機の背凭れ本体から体側本体を切り離した分解斜視図である。
【図５】（ａ）は、参考発明の第２実施形態に係るマッサージ機の背凭れ本体に体側本体が連結されている状態を示す側面図であり、（ｂ）は、その平面図である。
【図６】（ａ）は、参考発明の第３実施形態に係るマッサージ機の背凭れ本体に体側本体が連結されている状態を示す側面図であり、（ｂ）は、その平面図である。
【図７】（ａ）は、参考発明の第４実施形態に係るマッサージ機の背凭れ本体に体側本体が連結されている状態を示す側面図であり、（ｂ）は、その平面図である。
【図８】本発明の実施形態に係るマッサージ機の背凭れ本体に体側本体が連結されている状態を示す平面図である。
【図９】参考発明の第１実施形態に係るマッサージ機の変形例を示す一部を切り欠いた斜視図である。
【符号の説明】
【００４６】
１    マッサージ機
２    座部
４    背凭れ部
６    体側施療部
１２  背凭れ本体
１３  体側本体
１５  バックカバー
１６  縦フレーム
１８  取付部
２０  前受部
２１  横受部
２２  前当接面
２３  横当接面
２５  施療体
２６  延設部
２７  エアセル
３０  前延部
３１  横延部
４１  背延部
４８  揺動機構
５５  後エアセル
【図１】
0005133666.tif 000002
【図２】
0005133666.tif 000003
【図３】
0005133666.tif 000004
【図４】
0005133666.tif 000005
【図５】
0005133666.tif 000006
【図６】
0005133666.tif 000007
【図７】
0005133666.tif 000008
【図８】
0005133666.tif 000009
【図９】
0005133666.tif 000010